(57)【要約】【課題】パネルの穴より大きい電子機器をパネルの穴を拡げることなくパネルに取付けることが可能なパネル取付型電子機器の取付構造を提供する。【解決手段】パネル２の部品挿入用の穴１１と、表示部３の取付座となる前側取付部１３と、演算部４の取付座となる後側取付部３１とを備える。パネル２の後面２ｂと対向する上側押圧部４１ｂ，４２ｂおよび下側押圧部４３ｂ，４４ｂを有する第１〜第４の腕部４１〜４４と、上側押圧部４１ｂ，４２ｂと下側押圧部４３ｂ，４４ｂにそれぞれ螺合して先端がパネル２の後面２ｂに当接するねじ部材４６とを備える、部品挿入用の穴１１は、表示部３より小さい。前側取付部１３、後側取付部３１および第１〜第４の腕部４１〜４４は、一つのブラケット１２（電子機器取付用の部品）として一体に形成される。ブラケット１２は、部品挿入用の穴１１を通過可能に形成されている。【選択図】  図５
2020077655.tif 000002
【特許請求の範囲】
【請求項１】
電子機器が取付けられるパネルに形成され、前記電子機器の表示部によって前方から覆われる部品挿入用の穴と、
前記表示部の取付座を構成する前側取付部と、
前記前側取付部から前記パネルの後方に突出して前記電子機器の演算部の取付座を構成する後側取付部と、
前記パネルの後面と対向する押圧部を有し、前端が前記前側取付部に接続された複数の腕部と、
前記複数の腕部の押圧部にそれぞれ螺合して先端が前記パネルの後面に当接する複数のねじ部材とを備え、
前記部品挿入用の穴は、前記表示部より小さく形成され、
前記前側取付部と、前記後側取付部と、前記腕部とは、一つの電子機器取付用の部品を構成するように一体に形成され、
前記電子機器取付用の部品は、前記部品挿入用の穴を通過可能に形成されていることを特徴とするパネル取付型電子機器の取付構造。
【請求項２】
請求項１記載のパネル取付型電子機器の取付構造において、
前記腕部は、前記前側取付部の上端と下端とにそれぞれ設けられ、
前記前側取付部の下端に設けられた前記腕部が前記部品挿入用の穴の下側開口縁に支承される状態において、前記腕部の押圧部が前記パネルの後面と対向することを特徴とするパネル取付型電子機器の取付構造。
【請求項３】
請求項１または請求項２記載のパネル取付型電子機器の取付構造において、
前記腕部は、前記押圧部と前記パネルの後面との間隔が変化する方向へ弾性変形可能に形成されていることを特徴とするパネル取付型電子機器の取付構造。
【発明の詳細な説明】
【技術分野】
【０００１】
本発明は、表示部を有する電子機器をパネルに設置するために用いるパネル取付型電子機器の取付構造に関する。
【背景技術】
【０００２】
従来のパネル取付型電子機器の取付構造としては、例えば特許文献１に記載されているものがある。特許文献１に記載されている電子機器は、ディスプレイを有する表示部と、記憶部や制御部などを有する演算部などを一つの筐体に収容したものである。
【０００３】
特許文献１に開示された取付構造は、表示部がパネルの前側に位置し、表示部より後側に位置する演算部がパネルの部品挿入用の穴に挿入される状態で電子機器をパネルに固定するものである。部品挿入用の穴は演算部が嵌合状態で挿入されるように形成されている。
この電子機器の固定は、演算部の後側に設けられた複数の取付片をねじによってパネルの後面に取付けることにより行われる。
【先行技術文献】
【特許文献】
【０００４】
【特許文献１】特開２０１４−９８８５号公報
【発明の概要】
【発明が解決しようとする課題】
【０００５】
特許文献１に示すパネル取付型電子機器の取付構造では、電子機器の一部がパネルの部品挿入用の穴に挿入されているから、この穴と同じ大きさの電子機器しか設置することができない。このため、電子機器を新しい機種のものと交換するにあたって、表示部や演算部がパネルの穴より大きいと、これらをパネルに取付けることはできないという問題があった。
このような不具合を解消するためには、電子機器の大きさに合わせてパネルの穴を拡げることが考えられる。しかし、このような作業は、作業者の負担が増えるために避けなければならない。
【０００６】
本発明の目的は、パネルの穴より大きい電子機器をパネルの穴を拡げることなくパネルに取付けることが可能なパネル取付型電子機器の取付構造を提供することである。
【課題を解決するための手段】
【０００７】
この目的を達成するために、本発明に係るパネル取付型電子機器の取付構造は、電子機器が取付けられるパネルに形成され、前記電子機器の表示部によって前方から覆われる部品挿入用の穴と、前記表示部の取付座を構成する前側取付部と、前記前側取付部から前記パネルの後方に突出して前記電子機器の演算部の取付座を構成する後側取付部と、前記パネルの後面と対向する押圧部を有し、前端が前記前側取付部に接続された複数の腕部と、前記複数の腕部の押圧部にそれぞれ螺合して先端が前記パネルの後面に当接する複数のねじ部材とを備え、前記部品挿入用の穴は、前記表示部より小さく形成され、前記前側取付部と、前記後側取付部と、前記腕部とは、一つの電子機器取付用の部品を構成するように一体に形成され、前記電子機器取付用の部品は、前記部品挿入用の穴を通過可能に形成されていることを特徴とするものである。
【０００８】
本発明は、前記パネル取付型電子機器の取付構造において、前記腕部は、前記前側取付部の上端と下端とにそれぞれ設けられ、前記前側取付部の下端に設けられた前記腕部が前記部品挿入用の穴の下側開口縁に支承される状態において、前記腕部の押圧部が前記パネルの後面と対向するものであってもよい。
【０００９】
本発明は、前記パネル取付型電子機器の取付構造において、前記腕部は、前記押圧部と前記パネルの後面との間隔が変化する方向へ弾性変形可能に形成されていてもよい。
【発明の効果】
【００１０】
前側取付部、後側取付部および腕部からなる電子機器取付用の部品は、前側取付部に電子機器の表示部が取付けられた状態でパネルの部品挿入用の穴に前方から挿入することができる。この際、パネルの部品挿入用の穴より大きい電子機器の表示部がパネルの前面に接触する。このように電子機器取付用の部品が部品挿入用の穴に挿入されて表示部がパネルに接触した状態でねじ部材を締め込むことにより、表示部とねじ部材とがパネルを挟持する状態で表示部および電子機器取付用の部品がパネルに固定される。電子機器の演算部は、パネルに固定された電子機器取付用の部品の後側取付部に取付けることができる。この電子機器の演算部は、パネルの部品挿入用の穴に通す必要がないから、表示部と同様にパネルの部品挿入用の穴より大きいものを使用することができる。
【００１１】
このため、本発明によれば、前側取付部、後側取付部および腕部とからなる電子機器取付用の部品を使用するだけで表示部と演算部とをパネルに取付けることができる。したがって、パネルより前側に位置する表示部と、パネルより後側に位置する演算部とがパネルの部品挿入用の穴より大きいにもかかわらず、部品挿入用の穴を拡げることなくこれらをパネルに取付けることが可能なパネル取付型電子機器の取付構造を提供することができる。
【図面の簡単な説明】
【００１２】
【図１】本発明に係るパネル取付型電子機器の取付構造を用いてパネルに取付けられた電子機器の正面図である。
【図２】図１における要部のII−II線断面図である。
【図３】図１における要部のIII−III線断面図である。
【図４】本発明に係るパネル取付型電子機器の取付構造の分解斜視図である。
【図５】本発明に係るパネル取付型電子機器の取付構造の分解斜視図である。
【図６】ブラケットの斜視図である。
【図７】ブラケットに表示部を取付けて組立体を形成した状態を示す断面図である。
【図８】ブラケットの上部をパネルの部品挿入用の穴に挿入した状態を示す断面図である。
【図９】ブラケットの上部を部品挿入用の穴の上端に当接させた状態を示す断面図である。
【図１０】ブラケットの下部を部品挿入用の穴に挿入した状態を示す断面図である。
【図１１】ブラケットの下部を部品挿入用の穴の下端に当接させた状態を示す断面図である。
【図１２】ねじ部材を締め込んでパネルの後面に当接させた状態を示す断面図である。
【図１３】ブラケットがパネルに取付けられた状態における要部の拡大断面図である。
【図１４】ブラケットに演算部を取付けた状態を示す断面図である。
【図１５】パネルの厚みが相対的に厚い場合の要部の拡大断面図である。
【発明を実施するための形態】
【００１３】
以下、本発明に係るパネル取付型電子機器の取付構造の一実施の形態を図１〜図１５を参照して詳細に説明する。
図１に示すパネル取付型電子機器１は、パネル２の前面側に位置する表示部３と、パネル２の後方に位置する演算部４とを備えている。図１は、表示部３の一部を破断した状態で描いてある。表示部３の前面にはディスプレイ３ａが設けられている。これらの表示部３と演算部４は、図２〜図５に示すように、本発明に係る取付構造５によってパネル２に取付けられている。以下において、この取付構造５の構成を説明するうえで方向を示すにあたっては、便宜上、図１に示すようにパネル２の前方から見たときの方向を示す。
表示部３は、図４および図５に示すように、前後方向に分割可能な前側筐体６と後側筐体７とを備えている。
【００１４】
パネル２は、図示していない制御盤や配電盤などの前面を構成し、電子機器１が取付けられるもので、主に上下方向と左右方向に延びる状態で設置される。このパネル２には部品挿入用の穴１１が形成されている。この部品挿入用の穴１１は、図２に示すように、パネル２の前面２ａと後面２ｂとに開口してパネル２を前後方向に貫通している。この穴１１の開口形状は、パネル２の前方から見て正方形である。この部品挿入用の穴１１は、表示部３が取付構造５によってパネル２に取付けられることにより、パネル２によって前方から覆われる。
【００１５】
取付構造５は、図２および図３に示すように、パネル２に形成された部品挿入用の穴１１と、この穴１１に前端部が挿入されたブラケット１２とによって構成されている。
ブラケット１２は、１枚の金属板にプレス加工を施して所定の形状に形成されており、後述する３つの機能部を有している。
ブラケット１２の第１の機能部は、ブラケット１２の前端に位置する前側取付部１３である。前側取付部１３は、パネル２の前面２ａと平行な板状に形成され、表示部３の取付座を構成している。
【００１６】
この前側取付部１３は、図１に示すようにパネル２に沿う姿勢においては部品挿入用の穴１１より小さく形成されている。前側取付部１３の左右方向の中央部であって上端部と下端部とにはそれぞれねじ孔１４が形成されている。これらのねじ孔１４には、表示部３をブラケット１２に固定する固定用ボルト１５（図３参照）が螺着される。固定用ボルト１５は、表示部３の後側筐体７を前後方向に貫通してねじ孔１４に螺着されている。
【００１７】
前側取付部１３の上端部と下端部は、図６に示すように、ねじ孔１４を有する中央部１６，１７と、この中央部１６，１７とはスリット１８によって分けられた右側部１９，２０および左側部２１，２２とによって形成されている。スリット１８は、前側取付部１３の上下方向の両端から上下方向の中央に向けて延びている。
前側取付部１３の上端部の左右両端部には、図１に示すように、部品挿入用の穴１１との間の隙間が相対的に広くなるように切欠き２３，２４が形成されている。また、前側取付部１３の下端部の左右両端部には、部品挿入用の穴１１との間の隙間が相対的に広くなるように切欠き２５，２６が形成されている。これらの切欠き２３〜２６のうち少なくとも一つに、表示部３と演算部４とを接続する配線（図示せず）が通される。
【００１８】
ブラケット１２の第２の機能部は、ブラケット１２の左右方向の両端部に位置する一対の後側取付部３１（図６参照）である。これらの後側取付部３１は、前側取付部１３の左右方向の両端からパネル２の後方に突出しており、演算部４の取付座を構成している。この後側取付部３１の後端部には、左右方向の内側に向けて延びる凸片３２が設けられている。この凸片３２には、図２および図３に示すように、演算部４がＤＩＮレール３３を介して取付けられる。このため、後側取付部３１は、演算部４を支持することになる。この演算部４は、パネル２の部品挿入用の穴１１に通す必要がないから、表示部３と同様に部品挿入用の穴１１より大きいものを使用することができる。
ＤＩＮレール３３は、左右方向に延びる状態で凸片３２に取付用ねじ３４によって取付けられる。演算部４は、図示していない係合構造によってＤＩＮレール３３に着脱可能に取付けられる。
【００１９】
右側の後側取付部３１と左側の後側取付部３１との間隔、言い換えればブラケット１２の左右方向の幅Ｗ１（図１参照）は、パネル２の部品挿入用の穴１１の左右方向の開口幅Ｗ２より狭い。このため、このブラケット１２は、図８に示すように前後方向に傾斜させることによって、部品挿入用の穴１１を通過可能になる。
【００２０】
ブラケット１２の第３の機能部は、ブラケット１２の上下方向の両端部に位置する第１〜第４の腕部４１〜４４である。これらの第１〜第４の腕部４１〜４４と、上述した前側取付部１３および後側取付部３１とは、一体に形成されて一つのブラケット１２を構成している。この実施の形態においては、このブラケット１２が本発明でいう「電子機器取付用の部品」に相当する。
【００２１】
ブラケット１２の上端部に設けられた第１および第２の腕部４１，４２は、図６に示すように、前側取付部１３の上端部の右側部１９と左側部２１とから後方に延びる上側連結部４１ａ，４２ａと、この上側連結部４１ａ，４２ａから上方に延びる上側押圧部４１ｂ，４２ｂとによって形成されている。
ブラケット１２の下端部に設けられた第３および第４の腕部４３，４４は、前側取付部１３の下端部の右側部２０と左側部２２とから後方に延びる下側連結部４３ａ，４４ａと、この下側連結部４３ａ，４４ａから下方に延びる下側押圧部４３ｂ，４４ｂとによって形成されている。
【００２２】
第１〜第４の腕部４１〜４４は、上側押圧部４１ｂ，４２ｂおよび下側押圧部４３ｂ，４４ｂとパネル２の後面２ｂとの間隔が変化する方向へ弾性変形可能に形成されている。この実施の形態においては、前側取付部１３にスリット１８が形成されて第１〜第４の腕部４１〜４４の実質的な長さが延長されているから、第１〜第４の腕部４１〜４４が容易に弾性変形するようになる。
【００２３】
上側押圧部４１ｂ，４２ｂと下側押圧部４３ｂ，４４ｂは、図１に示すように、前側取付部１３が部品挿入用の穴１１に挿入される状態で部品挿入用の穴１１より上方と下方とに突出し、それぞれパネル２の後面２ｂと対向するように形成されている。上側押圧部４１ｂ，４２ｂの上端と下側押圧部４３ｂ，４４ｂの下端との間隔、言い換えればブラケット１２の上下方向の高さＨ１（図１参照）は、部品挿入用の穴１１の上下方向の開口幅Ｈ２より大きい。この実施の形態においては、上側押圧部４１ｂ，４２ｂと下側押圧部４３ｂ，４４ｂとが本発明でいう「押圧部」に相当する。
【００２４】
上側押圧部４１ｂ，４２ｂと下側押圧部４３ｂ，４４ｂとには、図２および図６に示すように、それぞれねじ孔４５が形成されている。これらのねじ孔４５には、それぞれ後方からねじ部材４６が螺合される。これらのねじ部材４６は、上側押圧部４１ｂ，４２ｂと下側押圧部４３ｂ，４４ｂとにそれぞれ螺合して先端がパネル２の後面２ｂに当接する。
【００２５】
このように構成された取付構造５によってパネル取付型電子機器１の表示部３と演算部４とをパネル２に取付けるためには、先ず、図７に示すように、表示部３を固定用ボルト１５によってブラケット１２の前側取付部１３に取付け、これらを一つの組立体５１とする。この工程で表示部３の配線（図示せず）を前側取付部１３の切欠き２３〜２６の少なくとも一つに通して後方に導いておく。
【００２６】
次に、図８に示すように、組立体５１の上端部が後方に位置するように組立体５１を前後方向に傾斜させ、ブラケット１２の上部をパネル２の部品挿入用の穴１１に前方から挿入する。このときには表示部３の配線（図示せず）も部品挿入用の穴１１に挿入する。そして、図９に示すように、ブラケット１２の第１および第２の腕部４１，４２（図９においては第２の腕部４２が図示されている）が部品挿入用の穴１１の上側開口縁に当接するまで組立体５１を持ち上げる。
【００２７】
しかる後、図１０に示すように、ブラケット１２の下端部が部品挿入用の穴１１に挿入されるように組立体５１を立て、図１１に示すように、第３および第４の腕部４３，４４（図１１には第４の腕部４４が図示されている）が部品挿入用の穴１１の下側開口縁に支承されるように組立体５１を下げる。この際、パネル２の部品挿入用の穴１１より大きい表示部３がパネル２の前面２ａに接触する。また、第１および第２の腕部４１，４２の上側押圧部４１ｂ，４２ｂと、第３および第４の腕部４３，４４の下側押圧部４３ｂ，４４ｂとがそれぞれパネル２の後面２ｂと対向する。
【００２８】
図１１に示す状態においては、表示部３の下端部と下側押圧部４３ｂ，４４ｂとがパネル２を挟むような位置にあるから、組立体５１がパネル２から脱落することはない。また、図１１に示す状態で組立体５１が前方に向けて倒れた場合は、第１および第２の腕部４１，４２のねじ部材４６がパネル２の後面２ｂに当たる。図１１に示す状態で組立体５１が後方に向けて倒れた場合には、表示部３がパネル２の前面２ａに当たる。
このため、第３および第４の腕部４３，４４が部品挿入用の穴１１の下側開口縁に支承されている状態においては、作業者（図示せず）が組立体５１から手を離しても組立体５１が落下することなくパネル２に保持される。
【００２９】
次に、パネル２の後方において、図１２に示すように、第１〜第４の腕部４１〜４４にねじ部材４６をねじ込み、ねじ部材４６の先端をパネル２の後面２ｂに押し付ける。ねじ部材４６の先端がパネル２に当接した状態でねじ部材４６が更に締め込まれることにより、図１３に示すように、第１〜第４の腕部４１〜４４が弾性変形して第１〜第４の腕部４１〜４４の先端部が後方に変位する。図１３には第２の腕部４２のみが図示されている。このとき、第１〜第４の腕部４１〜４４のばね力により前側取付部１３が後方に引かれ、表示部３がパネル２の前面２ａに前方から押し付けられる。この結果、表示部３とねじ部材４６とによってパネル２が挟持され、表示部３およびブラケット１２がパネル２に固定される。
【００３０】
このようにブラケット１２がパネル２に固定された後、図１４に示すように、後側取付部３１にＤＩＮレール３３を取付け、さらに、このＤＩＮレール３３に演算部４を取付ける。
この演算部４に図示していない各種の配線を接続することによって、このパネル取付型電子機器１の取付作業が終了する。
【００３１】
この実施の形態によるパネル取付型電子機器１の取付構造５においては、前側取付部１３、後側取付部３１および第１〜第４の腕部４１〜４４とからなるブラケット１２を使用するだけで表示部３と演算部４とをパネル２に取付けることができる。したがって、パネル２より前側に位置する表示部３と、パネル２より後側に位置する演算部４とがパネル２の部品挿入用の穴１１より大きいにもかかわらず、部品挿入用の穴１１を拡げることなくこれらをパネル２に取付けることが可能なパネル取付型電子機器の取付構造を提供することができる。
【００３２】
パネル２の厚みは、制御盤や配電盤などの設備毎に異なっている。パネル２の厚みが薄い場合や厚い場合であっても、第１〜第４の腕部４１〜４４の変形量やねじ部材４６の位置が変わるだけで上述した実施の形態と同様に第１〜第４の腕部４１〜４４のばね力でブラケット１２がパネル２に固定される。例えば、パネル２の厚みが厚い場合は、図１５に示すように、ねじ部材４６が相対的に後側に位置するようになるから、第１〜第４の腕部４１〜４４がねじ部材４６の途中までねじ込まれる状態で所定のばね力が生じてブラケット１２がパネル２に固定される。
すなわち、このパネル取付型電子機器の取付構造によれば、パネル２の厚みの影響を受けることなく電子機器１をパネル２に固定することが可能である。
【００３３】
この実施の形態による第１〜第４の腕部４１〜４４は、前側取付部１３の上端と下端とにそれぞれ設けられている。第３および第４の腕部４３，４４が部品挿入用の穴１１の下側開口縁に支承される状態においては、表示部３がパネル２の前面２ａと対向し、上側押圧部４１ｂ，４２ｂと下側押圧部４３ｂ，４４ｂとがパネル２の後面２ｂと対向する。このため、表示部３とブラケット１２とからなる組立体５１がパネル２に保持されるから、作業者（図示せず）が手を離すことができる。すなわち、作業者が組立体５１をパネル２に保持させた後にパネル２の後方に移動し、ねじ部材４６をねじ込んだり、後側取付部３１にＤＩＮレール３３と演算部４とを取付けることができるから、一人の作業者で取付作業を実施可能である。
【００３４】
この実施の形態による第１〜第４の腕部４１〜４４は、上側押圧部４１ｂ，４２ｂおよび下側押圧部４３ｂ，４４ｂとパネル２の後面２ｂとの間隔が変化する方向へ弾性変形可能に形成されている。
このため、第１〜第４の腕部４１〜４４のばね力でブラケット１２がパネル２に固定されるから、パネル２の厚みに応じてねじ部材４６を交換する必要はなく、パネル２の厚みの影響を受けることなくブラケット１２をパネル２に固定することができる。
【符号の説明】
【００３５】
１…パネル取付型電子機器、２…パネル、２ｂ…後面、３…表示部、４…演算部、１１…部品挿入用の穴、１２…ブラケット（電子機器取付用の部品）、１３…前側取付部、３１…後側取付部、４１〜４４…第１〜第４の腕部、４１ｂ，４２ｂ…上側押圧部、４３ｂ，４４ｂ…下側押圧部、４６…ねじ部材。
【図１】
2020077655.tif 000003
【図２】
2020077655.tif 000004
【図３】
2020077655.tif 000005
【図４】
2020077655.tif 000006
【図５】
2020077655.tif 000007
【図６】
2020077655.tif 000008
【図７】
2020077655.tif 000009
【図８】
2020077655.tif 000010
【図９】
2020077655.tif 000011
【図１０】
2020077655.tif 000012
【図１１】
2020077655.tif 000013
【図１２】
2020077655.tif 000014
【図１３】
2020077655.tif 000015
【図１４】
2020077655.tif 000016
【図１５】
2020077655.tif 000017